(57)【特許請求の範囲】
【請求項１】
キャップ本体の上端一側にヒンジ部を介して接続する天蓋部を、前記キャップ本体に冠着し、前記天蓋部と前記キャップ本体の天板との間に、回転用歯車と開閉用歯車とを噛み合わせて回転可能に内蔵するキャップであって、前記キャップ本体には、天板に回転用歯車の筒状軸部と開閉用歯車の筒状軸部とを所定位置に対応させて立設し、周壁の前記開閉用歯車の筒状軸部側の上方一側から天板にわたる排出用切欠き部を設け、前記開閉用歯車の筒状軸部の外周の天板の所定位置に前記排出用切欠き部と交叉し前記開閉用歯車との二個の係止突起をもつ溝状切欠き部を設け、前記ヒンジ部と対応する上端一側に前記天蓋部との係止部を設け、前記回転用歯車には、中心に軸摺動孔を設け、外周の全周均等位置に複数個の歯を設け、前記開閉用歯車には、中心に軸摺動孔を設け、外周縁部の下面の所定位置に前記キャップ本体との係止突起をもつ閉鎖板を垂設し、該閉鎖板と隣接する外周の所定位置に排出用切欠き部を設け、該排出用切欠き部及び閉鎖板と対応する外周に前記回転用歯車との複数個の歯を設け、前記天蓋部には、前記キャップ本体の排出用切欠き部と対応する位置に排出用切欠き部を設け、下面に前記キャップ本体の二個の筒状軸部に挿嵌する二個の固定突起を設け、前記排出用切欠き部と対応する外周に切り落とし部を設け、前記ヒンジ部と対応する下端一側に前記キャップ本体との係止部を設け、且つ、前記天蓋部の切り落とし部下方から突出する前記回転用歯車の歯を回転することにより前記開閉用歯車を回転させて、前記キャップ本体及び前記天蓋部の排出用切欠き部を開閉することを特徴とする振出しキャップ。
【発明の詳細な説明】
【０００１】
【発明の属する技術分野】
本発明は、ガム、チョコレート、飴などの粒状内容物に使用する容器に装着して用いる振出しキャップに関するものである。
【０００２】
【従来の技術】
従来、粒状内容物に使用する容器に装着する振出しキャップとしては、キャップ本体にヒンジを介して小蓋を接続して排出口を開閉するものや、プラスチックバネなどで付勢状態に排出口を閉鎖する蓋部を開閉するものなどが知られていた。
【０００３】
【発明が解決しようとする課題】
しかしながら、上述の従来の振出しキャップにおいて、キャップ本体にヒンジを介して小蓋を接続したものは、内容物を排出するごとに、小蓋をヒンジで開閉するため、使用中にヒンジが破損することがあった。また、排出口をプラスチックバネなどで付勢状態に蓋部で閉鎖するものは、構造が比較的に複雑となり、使用中に構成部品の破損や脱落などの事故を発生することがあった。
【０００４】
本発明は、上述の従来の振出しキャップの問題を解決したものであり、開閉操作がし易く、使用中に破損する危惧がない振出しキャップを提供するものである。
【０００５】
【課題を解決するための手段】
本発明は、図１に示すように、キャップ本体（１００）の上端一側にヒンジ部（１１０）を介して接続する天蓋部（２００）を、前記キャップ本体に冠着し、前記天蓋部と前記キャップ本体の天板（１２０）との間に、回転用歯車（３００）と開閉用歯車（４００）とを噛み合わせて回転可能に内蔵するキャップであって、前記キャップ本体（１００）には、天板（１２０）に回転用歯車の筒状軸部（１３０）と開閉用歯車の筒状軸部（１４０）とを所定位置に対応させて立設し、周壁（１５０）の前記開閉用歯車の筒状軸部側の上方一側から天板にわたる排出用切欠き部（１６０）を設け、前記開閉用歯車の筒状軸部の外周の天板の所定位置に前記排出用切欠き部と交叉し前記開閉用歯車との二個の係止突起（１７１と１７２）をもつ溝状切欠き部（１７０）を設け、前記ヒンジ部（１１０）と対応する上端一側に前記天蓋部との係止部（１８０）を設け、前記回転用歯車（３００）には、中心に軸摺動孔（３１０）を設け、外周の全周均等位置に複数個の歯（３２０）を設け、前記開閉用歯車（４００）には、中心に軸摺動孔（４１０）を設け、外周縁部の下面の所定位置に前記キャップ本体との図３（ａ）及び（ｂ）に示す係止突起（４３１）をもつ閉鎖板（４３０）を垂設し、該閉鎖板と隣接する外周の所定位置に排出用切欠き部（４４０）を設け、該排出用切欠き部及び閉鎖板と対応する外周に前記回転用歯車との複数個の歯（４２０）を設け、前記天蓋部（２００）には、前記キャップ本体の排出用切欠き部と対応する位置に排出用切欠き部（２１０）を設け、下面に前記キャップ本体の二個の筒状軸部に挿嵌する二個の固定突起（２２０と２３０）を設け、前記排出用切欠き部と対応する外周に切り落とし部（２４０）を設け、前記ヒンジ部（１１０）と対応する下端一側に前記キャップ本体との係止部（２５０）を設け、且つ、図２に示すように、前記天蓋部（２００）の切り落とし部（２４０）下方から突出する前記回転用歯車（３００）の歯（３２０）を回転することにより前記開閉用歯車（４００）を回転させて、前記キャップ本体（１００）及び前記天蓋部の排出用切欠き部（１６０と２１０）を開閉することを特徴とする振出しキャップ（１０）である。
【０００６】
【作用】
本発明の振出しキャップは、天蓋部とキャップ本体の天板との間に、回転用歯車と開閉用歯車とが噛み合わされて回転可能に内蔵されており、天蓋部の切り落とし部下方から突出する回転用歯車の歯を指で回転すると、開閉用歯車も回転してキャップ本体及び天蓋部の排出用切欠き部が開閉する。このように内容物を振り出す排出用切欠き部の開閉が、回転用歯車の歯を指で回転するだけなので、開閉操作が極めて容易である。
【０００７】
また、開閉作動中に回転作動する回転用歯車と開閉用歯車は、天蓋部とキャップ本体の天板との間に内蔵された状態で、キャップ本体の天板に立設する筒状軸部を摺動するものであり、従来の振出しキャップのように、物理強度の弱いヒンジを使用ごとに開閉することがなく、また、構造が比較的に簡単であるため、使用中に構成部品の破損や脱落などの事故を発生することがない。
【０００８】
【発明の実施の形態】
本発明の振出しキャップ（１０）は、例えば図２に示すように、キャップ本体（１００）の上端一側にヒンジ部を介して接続する天蓋部（２００）を、キャップ本体に冠着し、天蓋部とキャップ本体の天板（１２０）との間に、回転用歯車（３００）と開閉用歯車（４００）とを噛み合わせて回転可能に内蔵するキャップである。なお、キャップ本体は、ポリプロピレン、ポリエチレンなどの熱可塑性樹脂を用いて射出成形法で作製するものであり、また、回転用歯車や開閉歯車は、ポリプロピレン、ポリアセタールなどの熱可塑性樹脂を用いて射出成形法で作製するものである。そして、本発明の振出しキャップ（１０）は、例えば図４に示すように、筒状の容器の開口部に挿嵌、咬合などにより装着されるものである。
【０００９】
本発明の一実施形態のキャップ本体（１００）の構造は、例えば図１に示すように、天板（１２０）に回転用歯車の筒状軸部（１３０）と開閉用歯車の筒状軸部（１４０）とを所定位置に対応させて立設し、周壁（１５０）の開閉用歯車の筒状軸部側の上方一側から天板にわたる排出用切欠き部（１６０）を設け、開閉用歯車の筒状軸部の外周の天板の所定位置に排出用切欠き部と交叉し開閉用歯車との二個の係止突起（１７１と１７２）をもつ溝状切欠き部（１７０）を設け、ヒンジ部（１１０）と対応する上端一側に天蓋部との挿嵌、咬合、嵌合などの係止部（１８０）を設けるものである。
【００１０】
また、回転用歯車（３００）の構造は、例えば図１又は図３（ａ）及び（ｂ）に示すように、中心にキャップ本体の筒状軸部の外周を摺動する軸摺動孔（３１０）を設け、外周の全周均等位置に複数個の歯（３２０）を設けるものである。複数個の歯は、例えば、中心角度が４５°の８個の歯を設けるものであるが、８個に限るものではなく、必要に応じた任意の複数個の歯を設けるものである。
【００１１】
また、開閉用歯車（４００）の構造は、例えば図１又は図３（ａ）及び（ｂ）に示すように、中心にキャップ本体の筒状軸部の外周を摺動する軸摺動孔（４１０）を設け、外周縁部の下面の所定位置にキャップ本体との係止突起（４３１）をもつ閉鎖板（４３０）を垂設し、閉鎖板の左側に隣接する外周の所定位置に排出用切欠き部（４４０）を設け、この排出用切欠き部及び閉鎖板と対応する外周に回転用歯車との複数個の歯（４２０）を設けるものである。例えば、排出用切欠き部が１０ｍｍの幅で、閉鎖板が中心角度で８５°の幅で、中心角度が４５°の歯を最低で３個設ける（回転角度９０°）ものである。
【００１２】
また、天蓋部（２００）の構造は、図１に示すように、キャップ本体の排出用切欠き部と対応する位置に排出用切欠き部（２１０）を設け、下面にキャップ本体の二個の筒状軸部に挿嵌する二個の固定突起（２２０と２３０）を設け、排出用切欠き部と対応する外周に下方の回転用歯車の歯を指で回転操作できるように切り落とし部（２４０）を設け、ヒンジ部（１１０）と対応する下端一側にキャップ本体との挿嵌、咬合、嵌合などの係止部（２５０）を設けるものである。なお、天蓋部は、ヒンジ（１１０）を折り曲げてキャップ本体に冠着すると、固定突起（２２０，２３０）がキャップ本体の筒状軸部（１３０，１４０）に挿嵌し、また、係止部（２５０）がキャップ本体の係止部（１８０）に挿嵌、咬合又は嵌合して、キャップ本体にしっかり冠着するものである。
【００１３】
上述した本発明の一実施形態の振出しキャップは、図２に示すように、天蓋部（２００）の切り落とし部（２４０）下方から突出する回転用歯車（３００）の歯（３２０）を指で回転することにより開閉用歯車（４００）を回転させて、キャップ本体（１００）及び天蓋部の排出用切欠き部（１６０と２１０）を開閉するキャップである。
【００１４】
本発明の振出しキャップは、前述したように内容物を振り出す排出用切欠き部の開閉操作が容易であるが、図３（ａ）に示すように、回転用歯車（３００）を右回転（矢印方向）させると、開閉用歯車（４００）が左回転（矢印方向）して、キャップ本体の排出用切欠き部（１６０）が開閉用歯車の閉鎖板（４３０）で閉鎖する。この閉鎖完了時に、開閉用歯車の閉鎖板の係止突起（４３１）とキャップ本体の溝状切欠き部（１７０）の係止突起（１７１）とが抵抗感をもって係止し合う。また、図３（ｂ）に示すように、回転用歯車（３００）を左回転（矢印方向）させると、開閉用歯車（４００）が右回転（矢印方向）して、キャップ本体の排出用切欠き部（１６０）から開閉用歯車の閉鎖板（４３０）が移動し開口する。この開口完了時に、開閉用歯車の閉鎖板の係止突起（４３１）とキャップ本体の溝状切欠き部（１７０）の係止突起（１７２）とが抵抗感をもって係止し合う。このため、排出用切欠き部を閉鎖したキャップが、保管中に開口することがなく、また、内容物を振り出し中に排出用切欠き部が、閉鎖することがない。
【００１５】
【発明の効果】
本発明の振出しキャップは、天蓋部の切り落とし部下方から突出する回転用歯車の歯を指で回転するだけで、内容物を振り出す排出用切欠き部が開閉するため、開閉操作が極めて容易である。
【００１６】
従来の振出しキャップのように、物理強度の弱いヒンジを使用ごとに開閉することがなく、また、構造が比較的に簡単であるため、使用中に構成部品の破損や脱落などの事故を発生する危惧がない。
【図面の簡単な説明】
【図１】本発明の一実施形態の振出しキャップの構造を示す分解斜視図である。
【図２】本発明の図１に示した振出しキャップの外観を示す斜視図である。
【図３】（ａ）は、排出用切欠き部を閉鎖したときの回転用歯車と開閉用歯車の状態を示す説明図であり、（ｂ）は、排出用切欠き部を開口したときの回転用歯車と開閉用歯車の状態を示す説明図である。
【図４】容器本体の開口部に、本発明の図２に示した振出しキャップを装着したときの正面図である。
【符号の説明】
１０……振出しキャップ
２０……容器本体
１００……キャップ本体
１１０……ヒンジ部
１２０……天板
１３０，１４０……筒状軸部
１５０……周壁
１６０，２１０，４４０……排出用切欠き部
１７０……溝状切欠き部
１７１，１７２，４３１……係止突起
１８０，２５０……係止部
２００……天蓋部
２２０，２３０……固定突起
２４０……切り落とし部
３００……回転用歯車
３１０，４１０……軸摺動孔
３２０，４２０……歯
４００……開閉用歯車
４３０……閉鎖板
【図１】
0003543599.tif 000002
【図２】
0003543599.tif 000003
【図３】
0003543599.tif 000004
【図４】
0003543599.tif 000005